(57)【特許請求の範囲】
【請求項１】
下端に幅広支持部が形成された天井板用吊持杆を格子状に組み付けてなる天井格子と、該天井格子に内嵌して、側縁を天井板用吊持杆の幅広支持部に支持される複数枚の天井板とを備えるシステム天井に用いる天井用照明装置において、
発光源と、該発光源を下方から覆う下部カバー部材と、該発光源を上方から覆う上部カバー部材とを備えてなり、
下部カバー部材は、発光源を下方から覆う皿状の光透過性樹脂部材であって、相互に直交する二つの側縁に外方に延出する支持側縁が一体的に形成されたものであり、該支持側縁は水平な鍔状をなし、幅広支持部の高さに合わせた高さ位置に形成されており、
下部カバー部材の支持側縁を天井板用吊持杆の幅広支持部に載せた状態で、天井格子の交差部に宛がうように設置されることにより、底板の下底面が、天井板用吊持杆の下底面と略面一に連続することを特徴とする天井用照明装置。
【請求項２】
天井格子の区画形状に対して角部が欠落した形状の天井板と組み合わせて、天井格子内に取り付けられるものであることを特徴とする請求項１記載の天井用照明装置。
【請求項３】
前記下部カバー部材には、支持側縁が形成された前記二つの側縁以外の側縁に、外方に延出して天井板の側縁に下方から当接する鍔部が一体的に形成されていることを特徴とする請求項２記載の天井用照明装置。
【請求項４】
下端に幅広支持部が形成された天井板用吊持杆を格子状に組み付けてなる天井格子と、該天井格子に内嵌して、側縁を天井板用吊持杆の幅広支持部に支持される複数枚の天井板とを備えるシステム天井において、
請求項１乃至請求項３のいずれか１項に記載の天井用照明装置を複数備え、該天井用照明装置が、天井格子の交差部周囲で相互に隣り合うように配設されて、複数の天井用照明装置からなる複合照明形態を形成していることを特徴とするシステム天井。
【発明の詳細な説明】
【技術分野】
【０００１】
本発明は、天井格子に複数枚の天井板を保持してなるシステム天井に関し、特に、システム天井にあって、天井板とともに天井格子に組み付けられる天井用照明装置に関する。
【背景技術】
【０００２】
従来のシステム天井では、図１４に示すように、天井板９を天井格子ｈの区画内に保持し、複数枚の天井板９を天井格子ｈに縦横に列設することによって室内の天井を構成する。天井格子ｈは、天井板用吊持杆ｆを格子状に組み付けてなるものであり、ハンガーｊによって吊持される。一般的な天井板用吊持杆ｆは、断面がほぼ逆Ｔ字状をなし、その上端にハンガーｊが固着される係止部ｉを備えるとともに、その下端に幅広支持部ｇを備え、格子状に組み付けられた状態で、天井板９の四辺を成す各側縁を幅広支持部ｇに載せることで、天井板９を天井格子ｈに保持できるよう構成されている。
【０００３】
また、こうしたシステム天井にあって、天井板の角部に天井用照明装置を配設し、天井用照明装置が設けられた角部を、天井板用吊持杆が直交する天井格子の交差部周辺で隣り合うように天井板を列設することにより、複数の天井用照明装置を組み合わせた複合照明形態を天井に形成する構成が提案されている（特許文献１参照）。
【先行技術文献】
【特許文献】
【０００４】
【特許文献１】特開２００７−９４６７号公報
【発明の概要】
【発明が解決しようとする課題】
【０００５】
ところで、上記特許文献１記載のシステム天井では、天井板９の角部に形成した開口部に天井用照明装置を配設しているため、図１５（ａ）に示すように、天井用照明装置１ｃは、天井板用吊持杆ｆから所定距離離れて配設される。このため、上記特許文献１のシステム天井では、天井用照明装置１ｃを天井格子の交差部で組み合わせても、天井用照明装置相互が十分に接近せず、一体感に富んだ複合照明形態を形成することができない。
【０００６】
かかる不具合を解決するために、図１５（ｂ）に示すように、発光源４を下方から覆う光透過性の下部カバー部材６ａに、天井板９の底面に沿って天井板用吊持杆ｆの下縁まで達する延出部３０を設けた天井用照明装置１ｄも提案されている。しかしながら、かかる天井用照明装置１ｄでは、前記延出部３０が天井板９の底面に沿っているため、発光源４の光が延出部３０まで届かない。このため、かかる天井用照明装置１ｄを下から見上げると、延出部３０が形成された天井板用吊持杆ｆ近傍部位が、他の部分より暗くなり、複合照明形態は、一体感に富んだものにはならない。
【０００７】
本発明は、かかる現状に鑑みてなされたものであり、複数の天井用照明装置によって、より一体感のある複合照明形態を生成し得る天井用照明装置及びシステム天井の提供を目的とする。
【課題を解決するための手段】
【０００８】
本発明は、下端に幅広支持部が形成された天井板用吊持杆を格子状に組み付けてなる天井格子と、該天井格子に内嵌して、側縁を天井板用吊持杆の幅広支持部に支持される複数枚の天井板とを備えるシステム天井に用いる天井用照明装置において、発光源と、該発光源を下方から覆う下部カバー部材と、該発光源を上方から覆う上部カバー部材とを備えてなり、下部カバー部材は、発光源を下方から覆う皿状の光透過性樹脂部材であって、相互に直交する二つの側縁に外方に延出する支持側縁が一体的に形成されたものであり、下部カバー部材の支持側縁を天井板用吊持杆の幅広支持部に載せた状態で、天井格子の交差部に宛がうように設置されることを特徴とする天井用照明装置である。ここで「光透過性」とは、透明、着色透明及び半透明の全てを含む。
【０００９】
かかる構成にあっては、天井用照明装置を天井格子の交差部の縁と接するように配設できるから、かかる天井用照明装置を、天井格子の交差部で相互に隣り合うように配置すれば、天井用照明装置同士を、従来構成よりも接近させることができる。また、かかる天井用照明装置は、天井板を介在させずに光透過性の下部カバー部材を天井板用吊持杆に直接宛がう構成であるから、天井板に阻まれることなく、天井板用吊持杆の近傍部位を十分に発光させることができる。したがって、本発明の天井用照明装置を天井格子の交差部で隣り合わせれば、従来構成に比べて一体感に富んだ複合照明形態を形成できる。
【００１０】
また、本発明の天井用照明装置は、天井格子の区画形状に対して角部が欠落した形状の天井板と組み合わせて、天井格子内に取り付けることができる。ここで、上記特許文献１記載のシステム天井では、天井用照明装置を天井板で支持するため、天井板には、天井用照明装置の重量に耐え得る金属パネルが求められるのに対し、本発明の天井用照明装置は、天井板用吊持杆に直接支持させることで、天井板に荷重を加えることなく天井格子に組み付けできるため、比較的強度の低いロックウールパネルのような板材を天井板に採用できる。ロックウールパネルは、金属パネルに比べて低廉で、加工も容易であるため、本発明では、こうした板材を天井板に用いることで、システム天井のコスト削減が可能となる。
【００１１】
また、本発明にあって、前記下部カバー部材には、支持側縁が形成された前記二つの側縁以外の側縁に、外方に延出して天井板の側縁に下方から当接する鍔部が一体的に形成されている構成が提案される。かかる構成にあっては、鍔部によって天井板の側縁を下方から支持することで、天井用照明装置と天井板の連結部において、天井面を隙間なく連続させることができる。
【００１２】
また、本発明の別の態様は、上記天井用照明装置を複数備え、該天井用照明装置が、天井格子の交差部周囲で相互に隣り合うように配設されて、複数の天井用照明装置からなる複合照明形態を形成していることを特徴とするシステム天井である。かかるシステム天井によれば、従来構成に比べて一体感のある複合照明形態を形成可能となる。
【発明の効果】
【００１３】
以上に述べたように、本発明の天井用照明装置を天井格子の交差部周囲で相互に隣り合うように配設すれば、従来構成よりも一体感のある複合照明形態を備えるシステム天井を実現できる。
【図面の簡単な説明】
【００１４】
【図１】実施例の天井用照明装置１を用いたシステム天井の底面図である。
【図２】天井用照明装置１と天井板９ａの天井格子ｈへの組み付け態様を示す斜視図である。
【図３】天井用照明装置１と天井板９ａの天井格子ｈへの組み付け態様を示す拡大斜視図である。
【図４】天井用照明装置１の分解斜視図である。
【図５】天井用照明装置１の平面図である。
【図６】図５中のＸ−Ｘ線断面図である。
【図７】四つの天井用照明装置１を天井格子ｈの交差部周囲に配設して複合照明形態Ａを形成したシステム天井の底面拡大図である。
【図８】実施例の天井用照明装置１を用いて別の複合照明形態Ｂを形成したシステム天井の変形例である。
【図９】変形例の天井用照明装置１ａ，１ｂを用いたシステム天井の底面図である。
【図１０】天井用照明装置１と天井板９ａの別の連結態様を示す説明図である。
【図１１】天井用照明装置１と天井板９ａの別の連結態様を示す説明図である。
【図１２】天井用照明装置１と天井板用吊持杆ｆの別の連結態様を示す説明図である。
【図１３】天井用照明装置１の変形例を示す縦断側面図である。
【図１４】従来構成の天井板９の組み付け態様を示す斜視図である。
【図１５】従来構成の天井用照明装置１ｃ，１ｄの配設態様を示す説明図である。
【発明を実施するための形態】
【００１５】
本発明の実施形態を、以下の実施例に従って説明する。
【００１６】
図１は、本実施例の天井用照明装置１を採用したシステム天井の一例である。かかるシステム天井は、天井板用吊持杆ｆを組み付けてなる天井格子ｈと、該天井格子ｈの各区画内に保持される天井板９，９ａとを備えている。このシステム天井には、矩形状の天井板９と五角形状の天井板９ａとが配設される。矩形状の天井板９は、図１４に示すように、天井格子ｈの区画に隙間なく内嵌し得る形状である。一方、五角形状の天井板９ａは、図１，２に示すように、天井格子ｈの区画形状に対して、一つの角部が欠落した形状をなしており、天井格子ｈに内嵌した状態で、天井格子ｈの交差部との間に直角三角形の隙間を形成する。本実施例の天井用照明装置１は、図１，２に示すように、底面視三角形状をなしており、五角形状の天井板９ａが形成する隙間を埋めるように天井格子ｈに組み付けられる。
【００１７】
天井格子ｈを構成する天井板用吊持杆ｆは、帯状金属板を成形加工してなるものであり、図２，３に示すように、断面がほぼ逆Ｔ字状をなし、その下端に天井板９の側縁を支持する幅広支持部ｇと、その上端にハンガーｊが固着される係止部ｉとを備え、格子状に組み付けられることで天井格子ｈを形成し、天井板９，９ａの各側縁を各幅広支持部ｇにより支持するものである。この天井板用吊持杆ｆには従来構成のものを広く採用できるため、詳細な説明は省略する。
【００１８】
天井板９，９ａは、いずれもロックウールパネルで構成される。矩形状の天井板９の側縁は、天井板用吊持杆ｆの幅広支持部ｇに載せた時に、その底面が天井板用吊持杆ｆの下底面と面一となるように段差が形成されている。また、五角形状の天井板９ａは、矩形の天井板９の角部の一つを、天井用照明装置１の底面形状に切り落とすことで製造される。
【００１９】
天井用照明装置１は、図４に示すように、複数のＬＥＤ（発光ダイオード）４を具備する発光器５と、該発光器５を下方から覆う下部カバー部材６と、発光器５を上方から覆う上部カバー部材７とを備えてなる。
【００２０】
発光器５は、平面視直角三角形状をなす基板８の下底面にチップ型のＬＥＤ４を所定配列で配設してなるものであり、この発光器５に設けられた各ＬＥＤ４が天井用照明装置１の発光源を構成する。
【００２１】
下部カバー部材６は、平面視で発光器５よりも大きい直角三角形の皿状をなしており、半透明の光透過性樹脂で構成されて、発光器５のＬＥＤ４が発する光は、下部カバー部材６を透過して下方に照射されるようになっている。具体的には、下部カバー部材６は、図４〜６に示すように、直角三角形状の底板１２と、該底板１２の周縁に立設される側壁１３とを備えている。側壁１３の内壁面は、所々で内側に膨出しており、そこに、上部カバー部材７を螺着するためのネジ孔１４が形成される。
【００２２】
上部カバー部材７は、図４に示すように、金属板を平面視直角三角形の蓋状に成形加工してなるものである。上部カバー部材７には、ネジ貫通孔１７が複数形成されており、その底面側に発光器５を螺着した状態で、下部カバー部材６に被さるようにして螺着される。
【００２３】
図３〜６に示すように、天井用照明装置１は、下部カバー部材６の側縁に一体的に形成された支持側縁１５，１５を、天井板用吊持杆ｆの幅広支持部ｇに載せた状態で、天井格子ｈの交差部に宛がうように組み付けられる。具体的には、支持側縁１５は、直角三角形状の下部カバー部材６の、相互に直交する二側縁にあって、側壁１３の外壁面から外方に延成される。この支持側縁１５は水平な鍔状をなし、幅広支持部ｇの高さに合わせた高さ位置に形成されており、図６に示すように、支持側縁１５を幅広支持部ｇの上に載せて、側壁１３を幅広支持部ｇの側面に当接させると、底板１２の下底面が、天井板用吊持杆ｆの下底面と略面一に連続するよう構成される。
【００２４】
一方、図３〜６に示すように、下部カバー部材６と上部カバー部材７の、斜辺にあたる側縁には、外方に延出する鍔部１６，１９が形成されており、天井用照明装置１は、かかる鍔部１６，１９を介して天井板９ａと連結する。具体的には、下部カバー部材６の鍔部１６は、側壁１３の下縁から外方に延出する水平板状をなしており、図６に示すように、その上に天井板９ａの側縁を載せることで、天井板９ａの下底面が、底板１２の下底面と面一となるよう支持する。一方、上部カバー部材７の鍔部１９は、その側縁から外方に延出して、天井板９ａの側縁に上方から当接し、これにより、天井板９ａの浮き上がりを防止する。
【００２５】
本実施例の天井用照明装置１は、半透明の下部カバー部材６を、天井板用吊持杆ｆの交差部に直接宛がうようにして天井格子ｈに設置するため、発光器５のＬＥＤ４を点灯させたときに、天井格子ｈの交差部の境界部分まで十分明るく発光させることができる。このため、図７に示すように、本実施例の天井用照明装置１を天井格子ｈの交差部周囲に設置して複合照明形態Ａを形成すれば、隣り合う天井用照明装置１の境界部が、従来に比べて暗くなり難くなり、従来構成よりも一体感のある複合照明形態Ａを作り上げることが可能となる。
【００２６】
また、本実施例の天井用照明装置１は、天井板用吊持杆ｆの幅広支持部ｇに載せることで直接天井格子ｈに支持されるため、かかる天井用照明装置１と組み合わせる天井板９ａに天井用照明装置１の荷重が加わらず、天井用照明装置１と組み合わせる天井板９ａには、高い強度は要求されない。このため、本実施例の天井用照明装置１を用いたシステム天井では、天井板９ａに、比較的強度の低いロックウールパネルを好適に採用することができ、これによって、システム天井の製造コストを低減できるという利点がある。
【００２７】
なお、本発明の天井用照明装置は、上記実施例の形態に限らず本発明の要旨を逸脱しない範囲内において種々変更を加えることができる。
【００２８】
例えば、図８は、上記実施例の天井用照明装置１を用いて別の複合照明形態Ｂを形成したシステム天井である。このように、上記実施例の天井用照明装置１は、図１に示す複合照明形態Ａに限らず、その組み合わせによって多様な複合照明形態を形成できる。また、図８に示すように、実施例の天井用照明装置１は、天井格子ｈの区画形状に対して複数の角部が欠落した形状の天井板９ｂと組み合わせることで、天井格子ｈの一区画に複数配設することも可能である。
【００２９】
また、図９は、扇形状と四角形状の天井用照明装置１ａ，１ｂを天井板９ｃ，９ｄと組み合わせて天井格子ｈに設置した変形例のシステム天井である。このように、本発明に係る天井用照明装置は、支持側縁が形成された直交する二辺を有していれば、直角三角形状に限らず、多様な形状を採用可能である。そして、本発明のシステム天井では、図９に示すように、複数種類の天井用照明装置を用いることで複数種類の複合照明形態Ｃ，Ｄ，Ｅを形成することができる。
【００３０】
また、上記実施例では、図１０（ａ）に示すように、下部カバー部材６に形成した鍔部１６の上に天井板９ａの端縁を保持し、上部カバー部材７に形成した鍔部１９を天井板９ａの端縁の上に被せるようにしているが、本発明にあって、天井用照明装置と天井板との連結態様は適宜変更可能である。例えば、図１０（ｂ）に示すように、天井用照明装置１の、天井板９ａと当接する部位に突部２０ａ，２０ｂを形成するようにしてもよい。かかる構成にあっては、前記突部２０ａ，２０ｂが連結状態で天井板９ａに食い込むことで、天井用照明装置１と天井板９ａを強固に連結可能となる。また、図１０（ｃ）に示すように、天井用照明装置１の、天井板９ａと当接する部位に弾性部材２１を配設し、天井用照明装置１と天井板９ａを弾接させることで両者を強く連結するようにしてもよい。また、図１０（ｄ），図１１（ｅ）に示すように、天井用照明装置１と天井板９ａを、固定金具２２，２３を介して間接的に連結することも可能である。また、図１１（ｆ）に示すように、天井板９ａの側縁に段差を形成して、天井用照明装置１と天井板９ａの連結部分の段差を解消するようにしてもよい。また、図１１（ｇ），１１（ｈ）に示すように、天井板９ａの端縁を保持する上下の鍔部１６，１９を下部カバー部材６に一体的に形成するようにしてもよい。
【００３１】
また、図１２は、天井用照明装置１と天井板用吊持杆ｆを固定金具２５で連結した変形例である。かかる構成にあっては、天井板用吊持杆ｆの係止部ｉに嵌着した固定金具２５を、上部カバー部材７の上面に螺着することで、天井用照明装置１が天井格子ｈに強固に固定され、地震時などに天井用照明装置１が一層脱落し難くなる。このように、本発明の天井用照明装置は、その支持側縁１５を天井板用吊持杆ｆの幅広支持部ｇに載せて保持するだけでなく、支持側縁を幅広支持部に載せた状態で、金具やネジ、接着剤等を用いてより強固に固定することができる。
【００３２】
また、図１３は、天井用照明装置１の内部に、透明な内部カバー部材２８を設けた変形例である。かかる内部カバー部材２８は、レンズ形状をなす板状体であり、下部カバー部材６と上部カバー部材７で覆われた空隙内にあって、発光器５を下方から覆うように配設される。かかる構成にあっては、内部カバー部材２８がレンズ作用を発揮することで、発光源の光を適宜変化させることができる。このように、本発明の天井用照明装置には、下部カバー部材に加えて、発光源の光を屈折させる内部カバー部材を配設可能である。また、下部カバー部材をレンズ形状にして、下部カバー部材によって発光源の光を屈折させるようにしてもかまわない。
【００３３】
また、上記実施例では、下部カバー部材が半透明の樹脂によって構成されているが、本発明に係る下部カバー部材は、透明や着色透明の樹脂によっても構成可能である。また、上記実施例では、天井用照明装置をロックウールパネルの天井板と組み合わせて用いているが、本発明の天井用照明装置は、金属パネルなどと組み合わせて用いることもできる。また、天井板用吊持杆などのシステム天井のその他構成要素についても、上記実施例の構成から適宜変更可能である。また、上記実施例では、発光源にＬＥＤを採用しているが、天井用照明装置の発光源には、蛍光灯や有機ＥＬなども採用可能である。
【符号の説明】
【００３４】
１，１ａ〜１ｄ  天井用照明装置
４  発光ダイオード（発光源）
９，９ａ〜９ｄ  天井板
１２  底板
１３  側壁
１５  支持側縁
１６  鍔部
１９  鍔部
ｆ  天井板用吊持杆
ｇ  幅広支持部
ｈ  天井格子
Ａ〜Ｅ  複合照明形態
【図１】
0005701562.tif 000002
【図２】
0005701562.tif 000003
【図３】
0005701562.tif 000004
【図４】
0005701562.tif 000005
【図５】
0005701562.tif 000006
【図６】
0005701562.tif 000007
【図７】
0005701562.tif 000008
【図８】
0005701562.tif 000009
【図９】
0005701562.tif 000010
【図１０】
0005701562.tif 000011
【図１１】
0005701562.tif 000012
【図１２】
0005701562.tif 000013
【図１３】
0005701562.tif 000014
【図１４】
0005701562.tif 000015
【図１５】
0005701562.tif 000016